(57)【要約】【課題】  ウエスト部分に迅速且つ柔軟にフィットして、身体との間に隙間ができにくい使い捨ておむつを提供すること。【解決手段】  本発明の使い捨ておむつ１においては、ウエスト開口部７の周縁部における腹側Ａ及び背側Ｂの少なくとも一方に、糸状又は細帯状の弾性部材７１及び低反発ウレタンフォームからなる帯状のクッション材１７が配されている。前記周縁部にはギャザーが形成されている。特に、腹側のウエスト開口部の周縁部に、前記弾性部材及び前記クッション材が配されていることが好ましい。【選択図】    図１
2005160673.tif 000002
【特許請求の範囲】
【請求項１】
ウエスト開口部の周縁部における腹側及び背側の少なくとも一方に、糸状又は細帯状の弾性部材及び低反発ウレタンフォームからなる帯状のクッション材が配されており、前記周縁部にギャザーを形成している使い捨ておむつ。
【請求項２】
上記低反発ウレタンフォームは、ＪＩＳ  Ｋ  ６４００に規定される反発弾性率が１５％以下である請求項１記載の使い捨ておむつ。
【請求項３】
腹側のウエスト開口部の周縁部に、前記弾性部材及び前記クッション材が配されている請求項１又は２記載の使い捨ておむつ。
【請求項４】
パンツ型である請求項１ないし３の何れかに記載の使い捨ておむつ。
【発明の詳細な説明】
【技術分野】
【０００１】
本発明は、幼児用、大人用、あるいは失禁者用として用いられる使い捨ておむつに関し、更に詳しくは着用者のウエストを過度に締め付けることを防止しつつ、良好なフィット性及びモレ防止性を得ることのできる使い捨ておむつに関する。
【背景技術】
【０００２】
本出願人は先に、ウエスト開口部の周縁部に、外力を加えて圧縮変形させると、その後、その厚み方向に徐々に弾性復元する発泡体材料を配した使い捨ておむつを提案した（特許文献１参照）。このおむつによれば、装着後に発泡体材料が徐々に弾性復元し、その厚みが膨張して着用者とおむつとの間の隙間を徐々に埋めて着用者に確実にフィットするようになる。この発泡体材料を用いたおむつは着用者を不必要に圧迫しないので、ウエスト開口部が着用者の肌に食い込んだり、肌を傷つけることがないという利点がある。
【０００３】
【特許文献１】特開平５−１２３３６０号公報
【発明の開示】
【発明が解決しようとする課題】
【０００４】
おむつの着用時には、身体とのフィット性を良好にする目的で一般にウエスト開口部を幅方向に引き伸ばす操作を行う。しかし前記の発泡体材料は弾性復元が徐々に起こることから、ウエスト開口部を引き伸ばしておむつを着用したあと、該ウエスト開口部が身体にフィットする程度にまで収縮するのに時間を要してしまう。その結果、その間におむつのズレ落ちが起こる可能性や、おむつと身体との隙間から漏れが生じる可能性がある。また前記の発泡体材料は、平面方向での弾性力が十分ではないことから、この発泡体材料のみでウエスト開口部をその幅方向に収縮させ締め付けに十分な程度のギャザーを形成できない可能性もある。
【０００５】
従って本発明の目的は、前述した従来技術が有する種々の欠点のない使い捨ておむつを提供することにある。
【課題を解決するための手段】
【０００６】
本発明は、ウエスト開口部の周縁部における腹側及び背側の少なくとも一方に、糸状又は細帯状の弾性部材及び低反発ウレタンフォームからなる帯状のクッション材が配されており、前記周縁部にギャザーを形成している使い捨ておむつを提供することにより前記目的を達成したものである。
【発明の効果】
【０００７】
本発明の使い捨ておむつは、着用者の動きによって位置ズレが起こりやすく、またゴム跡のつきやすいウエスト部分に迅速且つ柔軟にフィットする。従って、おむつのズレ落ちが効果的に防止される。また、身体とおむつとの間に隙間ができにくいので漏れが生じることも効果的に防止される。更に、着用者の動きに起因する腹囲の変動や、満腹時と空腹時の腹囲差に対して柔らかく追従するのでゴム跡がつきにくい。
【発明を実施するための最良の形態】
【０００８】
以下本発明を、その好ましい実施形態に基づき図面を参照しながら説明する。図１は、本発明の使い捨ておむつ一実施形態を示す斜視図であり、図２は、図１に示す使い捨ておむつの展開且つ伸張状態を表面シート側から見た一部破断平面図である。
【０００９】
本実施形態のおむつ１はパンツ型のものであり、図１及び図２に示すように、液透過性の表面シート２、液不透過性の裏面シート３及び両シート２，３間に介在された液保持性の吸収体４を有する吸収性本体１０と、該吸収性本体１０の外側（非肌当接面側）に位置して該吸収性本体１０を接合固定している外装体５とを具備し、着用時に着用者の腹側に配される腹側部Ａと背側に配される背側部Ｂとその間に位置する股下部Ｃと有している。
【００１０】
腹側部Ａの両側縁部Ａ１，Ａ２と背側部Ｂの両側縁部Ｂ１，Ｂ２とは、ヒートシール、高周波シール、超音波シール等の公知の接合手段により互いに接合されており、この接合により、一対の接合部６、ウエスト開口部７及び一対のレッグ開口部８が形成されている。
【００１１】
図２に示すように、吸収性本体１０は縦長矩形状をなし、その長手方向をおむつ１の縦方向（図２の上下方向，おむつ長手方向ともいう）に一致させ、公知の接合手段により外装体５の幅方向中央部に接合されている。吸収体４は、長手方向中央部が括れた砂時計状をなし、表面シート２及び裏面シート３間に挟持固定されている。吸収性本体１０の左右両側部には、自由端に弾性部材を有する一対の立体ガード１６が形成されている。
【００１２】
図２に示すように、吸収体４は、長手方向中央部が細幅に括れた砂時計状をなしており、長手方向中央部の両側縁は円弧状をなしている。外装体５は、外層シート５１とその内側に配された内層シート５２と、これら両シートの間に固定された各部の弾性部材７１，７２，８１，９１とから構成されている。外層シート５１及び内層シート５２も、長手方向中央部が細幅に括れた砂時計状をなしており、長手方向中央部の両側縁は円弧状をなしている。
【００１３】
おむつ１は、吸収体４の前後端縁の位置よりおむつ長手方向外方に延出したウエストフラップ５Ａ，５Ｂ及び吸収体４の両側縁の位置よりおむつ幅方向外方に延出したサイドフラップ５Ｃ，５Ｃを有している。本実施形態におけるウエスト開口部７の周縁部は、ウエストフラップ５Ａ，５Ｂによって形成されている。
【００１４】
各サイドフラップ部５Ｃにおける、レッグ開口部８の周縁部を形成する部分（脚周りに配される部分）には、図２に示すように、レッグ部弾性部材８１が、腹側部Ａの側縁部Ａ１（Ａ２）から背側部Ｂの側縁部Ｂ１の全域に亘るように連続的に配されている。この弾性部材８１が、自然（自由）状態において収縮し、それにより、レッグ開口部８の周縁部に、その周縁部全周に亘って実質的に連続したギャザーが形成される。
【００１５】
レッグ部弾性部材８１はそれぞれ、糸状又は細帯状であり、図１及び図２に示すように、複数本（図示例では３本）が互いに略平行に配されている。レッグ部弾性部材８１は、ウエスト開口部７の周方向に沿って配されている。レッグ部弾性部材８１は、腹側部Ａから股下部Ｃに亘って配された弾性部材８１ａと、背側部Ｂから股下部Ｃに亘って配された弾性部材８１ｂとからなり、これらが股下部において重なるか又は近接していることによって、物理的に連続した一本の弾性部材と同様に機能する。
【００１６】
各サイドフラップ部５Ｃにおける、着用時に着用者の側部に配されるサイド部の胴回り部分には、腹側部Ａ及び背側部Ｂそれぞれの幅方向に沿って胴回り部弾性部材９１が、それぞれの左右に分割された状態で配されている。胴回り部弾性部材９１は、腹側部Ａ及び背側部Ｂそれぞれの左右両側にそれぞれ複数本がそれぞれおむつ幅方向に延びるように配されている。これらの胴回り部弾性部材９１が自然（自由）状態において収縮し、それにより、前記胴回り部部分にサイドギャザーが形成される。
【００１７】
腹側部Ａ側のウエストフラップ５Ａには、ウエスト部弾性部材７１が、腹側部Ａの一方の側縁部Ａ１から他方の側縁部Ａ２の全域に亘るように配されている。同様に背側部Ｂ側のウエストフラップ５Ｂにも、ウエスト部弾性部材７２が、背側部Ｂの一方の側縁部Ｂ１から他方の側縁部Ｂ２の全域に亘るように配されている。これらの弾性部材７１，７２は、自然（自由）状態において収縮し、それにより、ウエスト開口部７の周縁部に、その周縁部全周に亘って実質的に連続したギャザーが形成される。
【００１８】
ウエスト部弾性部材７１，７２はそれぞれ、一般に糸ゴムと呼ばれる糸状の弾性部材又は平ゴムと呼ばれる細帯状の弾性部材からなり、図１及び図２に示すように、複数本が互いに略平行に配されている。また、ウエスト部弾性部材７１，７２はそれぞれ、ウエスト開口部７の周縁部においてその周方向の全域に亘って伸張状態で配されている。
【００１９】
ウエスト開口部７の周縁部における腹側部Ａには、ウエスト部弾性部材７１に加えて低反発ウレタンフォームからなる太帯状のクッション材１７が、おむつ幅方向に亘り配されている。クッション材１７は、ウエスト開口部７の周縁部における腹側部Ａの肌当接面側に配されており、本実施形態ではウエスト部弾性部材７１とクッション材７とがおむつ厚み方向において重なって存在している。クッション材１７は、表面シート２と同様の素材からなる肌触りの良い材料によって被覆された状態で、公知の接合手段（接着剤等）により固定されている。クッション材１７は、ウエストフラップ５Ａと同程度の太幅のものである。ウエストフラップ５Ａの厚み方向において、クッション材１７は、ウエスト部弾性部材７１よりも肌当接面側に配されている。なお、本実施形態では、最も好ましい形態としてウエスト部弾性部材７１のすべてがクッション材７と重なるように配置されているが、これに代えて、ウエスト部弾性部材７１の一部がクッション材１７と重なっていて、他の部分では重なっていない形態になっていてもよい。
【００２０】
低反発ウレタンフォームとは、軟質ウレタンフォームの一種である。低反発ウレタンフォームは特殊な分子構造に設計され、「弾性」を抑え「粘性」を高めた発泡体である。通常、気泡が連通しており、それによって衝撃吸収性を有し、また圧縮した後に外力をとり除くとゆっくりと戻る性質がある。
【００２１】
低反発ウレタンフォームは、ＪＩＳ  Ｋ  ６４００に規定される反発弾性率（鋼球落下時の跳ね上がり高さの落下高さに対する割合（％））が、１５％以下であるものが好ましい。低反発ウレタンフォームとしては、例えば東洋ゴム株式会社製の「ソフラン夢柔力フォーム（＃ＬＲ−４０Ｍ）」（反発弾性１５％以下）、同社製の「ソフラン夢柔力フォーム（＃ＬＲＸ−７５）」（反発弾性３％以下）等の市販品を用いることができる。
【００２２】
本実施形態のおむつ１が以上の構成となっていることによって、おむつ１には以下の有利な効果が奏される。
（１）低反発ウレタンフォームは、その低反発性、低復元性から耐圧分散性に優れている。そのような低反発ウレタンフォームを、腹側部Ａ側のウエスト開口部７の周縁部に配することにより、変動が激しくゴムの跡のつきやすいウエスト開口部７の周縁部において、お腹の膨らみに柔軟にフィットし、更に運動に起因する腹囲の変動や、満腹時と空腹時の腹囲差に対して柔らかく追従するため、ゴム跡を防止することができる。
（２）おむつ１を着用者にはかせるため等にウエスト開口部７を大きく伸張させた場合、低反発ウレタンフォームを単独でウエストフラップ５Ａ配した場合には、低反発ウレタンフォームの低復元性に起因して、ウエスト開口部７が所定の周長にまで収縮するのに時間を要する。従って着用直後はウエスト開口部７が緩くおむつのズレ落ちを引き起こしたり、肌との間に隙間が生じる等、フィット性が低下しやすい傾向にある。しかし本実施形態においては、低反発ウレタンフォームと、通常のエラストマー材料（天然ゴム、スチレン−ブタジエン、ブタジエン、イソプレン、ネオプレン等の合成ゴム、ＥＶＡ、伸縮性ポリオレフィン等）からなるウエスト部弾性部材７１とを組み合わせることで、幅方向の伸びに対する復元性を高め、おむつ１はかせた後、迅速に良好なフィット性が得られるようにしてある。
【００２３】
伸張状態からの復元を一層迅速に行う観点から、ウエスト部弾性部材としては、糸状のものよりも細帯状のものを用いることが好ましい。
【００２４】
低反発ウレタンフォームからなるクッション材１７は、本実施形態におけるように、腹側部Ａのおむつ幅方向の全域に亘るように配されていることが、フィット性向上の観点から好ましい。同様の理由により低反発ウレタンフォームは、ＪＩＳ  Ｋ  ６４００に規定される圧縮残留歪が5％以下であることが好ましい。また、低反発ウレタンフォームは、上記の条件で圧縮した後に弾性復元させたときの厚みが、圧縮時の１.５倍以上であることが好ましく、２〜３倍であることが更に好ましい。低反発ウレタンフォームは、その長さ方向に１０〜５０％伸張された状態で使い捨ておむつ１に配されていることが、ウエスト部弾性部材７１による収縮力と相俟って十分なフィット性を得る点から好ましい。
【００２５】
本発明は前記実施形態に制限されない。例えば前記実施形態においては、ウエスト開口部７の周縁部における腹側に、低反発ウレタンフォームからなるクッション材１７とウエスト部弾性部材７１とを組み合わせて配したが、これに代えて又はこれに加えて、ウエスト開口部７の周縁部における背側に低反発ウレタンフォームからなるクッション材１７とウエスト部弾性部材７１とを組み合わせて配してもよい。
【００２６】
また前記実施形態はパンツ型の使い捨ておむつに係るものであったが、これに代えて展開型のおむつに本発明を適用してもよい。
【図面の簡単な説明】
【００２７】
【図１】本発明の使い捨ておむつ一実施形態を示す斜視図である。
【図２】図１に示す使い捨ておむつを展開し且つ各部の弾性部材を伸張させた状態を示す図で、表面シート側を一部破断して示す平面図である。
【符号の説明】
【００２８】
１    使い捨ておむつ
２    表面シート
３    裏面シート
４    吸収体
５Ａ,５Ｂ  ウエストフラップ
５Ｃ,５Ｃ  サイドフラップ
６    接合部
７    ウエスト開口部
８    レッグ開口部
１７    クッション材
Ａ    腹側部
Ｂ    背側部
Ｃ    股下部
【図１】
2005160673.tif 000003
【図２】
2005160673.tif 000004